(57)【要約】【課題】  本発明の目的は、バーナによる燃焼時に被加熱物検知手段で被加熱物が無いことを検知した場合にバーナの火力を低下させる火力低下処理を実行するように構成されたコンロであって、使用者の使い勝手に優れ、効率低下を抑制しながら、火炎による火傷及び衣服への着火を防止することができるコンロを実現することにある。【解決手段】  火力低下制御手段が、火力低下処理として、バーナによる燃焼時に被加熱物検知手段で被加熱物が無いことを所定の遅延時間Ｔ’継続して検知した場合に、バーナの火力を低下させるように構成されている。【選択図】        図３
2005188817.tif 000002
【特許請求の範囲】
【請求項１】
ガスを燃焼させて被加熱物を加熱するバーナと、前記被加熱物の有無を検知する被加熱物検知手段と、前記バーナによる燃焼時に前記被加熱物検知手段で前記被加熱物が無いことを検知した場合に前記バーナの火力を低下させる火力低下処理を実行する火力低下制御手段とを備えたコンロであって、
前記火力低下制御手段が、前記火力低下処理として、前記バーナによる燃焼時に前記被加熱物検知手段で前記被加熱物が無いことを所定の遅延時間継続して検知した場合に、前記バーナの火力を低下させるように構成されているコンロ。
【請求項２】
前記火力低下制御手段が、前記遅延時間を調整可能に構成されている請求項１に記載のコンロ。
【請求項３】
前記火力低下制御手段が、前記被加熱物の分類毎に前記遅延時間を変更するように構成されている請求項２に記載のコンロ。
【請求項４】
前記被加熱物の温度を検知する温度検知手段を備え、
前記火力低下制御手段が、前記バーナによる燃焼時に前記温度検知手段で検知した前記被加熱物の温度上昇状態から、前記被加熱物の分類を判定するように構成されている請求項３に記載のコンロ。
【請求項５】
前記火力低下制御手段が、前記火力低下処理として、前記バーナの火力を小火状態に絞ることで、前記バーナの火力を低下させるように構成されている請求項１〜４の何れか１項に記載のコンロ。
【請求項６】
前記火力低下制御手段が、前記火力低下処理として、前記バーナの火力を一旦小火状態に絞り一定時間前記小火状態を維持した後に前記バーナを消火することで、前記バーナの火力を低下させるように構成されている請求項１〜４の何れか１項に記載のコンロ。
【請求項７】
ガスを燃焼させて被加熱物を加熱するバーナと、前記被加熱物の有無を検知する被加熱物検知手段と、前記バーナによる燃焼時に前記被加熱物検知手段で前記被加熱物が無いことを検知した場合に前記バーナの火力を低下させる火力低下処理を実行する火力低下制御手段とを備えたコンロであって、
前記火力低下制御手段が、前記火力低下処理として、前記バーナの火力を一旦小火状態に絞り一定時間前記小火状態を維持した後に前記バーナを消火することで、前記バーナの火力を低下させるように構成されているコンロ。
【請求項８】
前記火力低下制御手段が、前記火力低下処理により前記バーナの火力を低下させているときに前記被加熱物検知手段で前記被加熱物が有ると検知した場合には、前記バーナの火力をその時点の火力に維持するように構成されている請求項１〜７の何れか１項に記載のコンロ。
【請求項９】
前記火力低下制御手段が、前記火力低下処理として、前記バーナを消火することで、前記バーナの火力を低下させるように構成されている請求項１〜４の何れか１項に記載のコンロ。
【請求項１０】
前記火力低下制御手段が、前記バーナの点火時に前記被加熱物検知手段で前記被加熱物が無いと検知した場合には、後に前記被加熱物検知手段で前記被加熱物が有ると検知してから、前記火力低下処理を実行するように構成されている請求項１〜９の何れか１項に記載のコンロ。
【請求項１１】
前記火力低下制御手段が、前記火力低下処理として、前記バーナによる燃焼時に前記被加熱物検知手段で前記被加熱物が無いことを所定の遅延時間継続して検知した場合に、前記バーナの火力を低下させるように構成されており、前記バーナの点火時に前記被加熱物検知手段で前記被加熱物が無いと検知した場合には、前記バーナの点火時からの経過時間を前記遅延時間として前記火力低下処理を実行するように構成されている請求項１〜９の何れか１項に記載のコンロ。
【発明の詳細な説明】
【技術分野】
【０００１】
本発明は、ガスを燃焼させて被加熱物を加熱するバーナと、前記被加熱物の有無を検知する被加熱物検知手段と、前記バーナによる燃焼時に前記被加熱物検知手段で前記被加熱物が無いことを検知した場合に前記バーナの火力を低下させる火力低下処理を実行する火力低下制御手段とを備えたコンロに関する。
【背景技術】
【０００２】
上記のようなコンロは、ガスを燃焼させて火炎を形成するバーナを備え、そのバーナにより形成した火炎により鍋やフライパンなどの被加熱物を加熱するものである。
また、このようなコンロとして、バーナにより加熱される被加熱物が無いにも拘わらず、バーナにより火炎が形成されている場合に、その火炎による火傷や衣服への着火等を防止するように構成したコンロが知られている（例えば、特許文献１及び２を参照。）。
【０００３】
これら従来のコンロは、例えば、温度センサが設けられた先端部が被加熱物の底部に接触し、被加熱物が五徳上に搭載されたことにより押し下げられるように上下動自在に構成された伸縮機構を設け、その伸縮機構の伸縮状態を検出することにより、被加熱物の有無を検知し、被加熱物が無いと検知した場合に、即座に、バーナの火力を低下させるような火力低下処理を実行するように構成されている。
【０００４】
更に、上記特許文献１のコンロは、上記のような火力低下処理において、バーナを点火してから被加熱物を搭載する場合を想定して、前記バーナの点火時に被加熱物が無いと検知した場合には、その点火時から一定時間経過後に、バーナを消火するように構成されている。
【０００５】
また、上記特許文献２のコンロは、上記のような火力低下処理において、被加熱物が無いと検知してバーナの火力を低下させた後に、再び、被加熱物が搭載されて、被加熱物が有ると検知した場合には、バーナの火力を、低下前の元の火力に上昇させるように構成されている。
【０００６】
【特許文献１】特開平８−８６４４５号公報
【特許文献２】特開平８−３０３７８５号公報
【発明の開示】
【発明が解決しようとする課題】
【０００７】
しかし、従来のコンロでは、上記のような火力低下処理において、被加熱物が無いと検知した場合に、即座に、バーナの火力を低下させるので、例えば、炒め物などの調理時に、一時的にフライパンなどの被加熱物を五徳から持ち上げた場合にも、被加熱物が無いと検知して逐次バーナの火力が低下されてしまうので、上記のような炒め物などの調理時には、被加熱物を五徳から一時的に持ち上げた状態で被加熱物を加熱したい場合があるが、従来の火力低下処理を行うコンロでは、そのような加熱はできないものである。
【０００８】
上記特許文献１では、火力低下処理において、バーナの点火時に被加熱物が無いと検知した場合には、その点火時から一定時間経過後にバーナを消火するというコンロの構成が開示されているが、そのバーナを消火するまでの一定時間の基準が点火時であることから、上記のような炒め物などの調理時に、被加熱物が一時的に持ち上げられることを想定したものではない。
【０００９】
また、上記特許文献２のコンロでは、火力低下処理において、火力を低下した後に再び被加熱物が搭載されて被加熱物が有ると検知した場合に、バーナの火力を低下前の元の火力に上昇させるように構成しているが、例えば、被加熱物を持ち上げる動作が頻繁に繰り返されると、バーナにより形成される火炎の大きさが頻繁に変化することになるので、火炎の大きさが変化することにより予期せず火傷や衣服への着火等が発生する恐れがあり、また、不完全燃焼や失火が発生しやすくなり効率低下の原因となる。
【００１０】
特に、火力低下処理として、被加熱物が無いと検知したときに即座にバーナを消火することでバーナの火力を低下させるように構成されているコンロにおいては、バーナの点火及び消火が頻繁に繰り返されることになるので、一層効率が低下すると考えられる。
【００１１】
本発明は、上記の課題に鑑みてなされたものであり、その目的は、バーナによる燃焼時に被加熱物が無いことを検知した場合にバーナの火力を低下させる火力低下処理を実行するように構成されたコンロであって、使用者の使い勝手に優れ、効率低下を抑制しながら、火炎による火傷及び衣服への着火を防止することができるコンロを実現することにある。
【課題を解決するための手段】
【００１２】
上記目的を達成するための本発明に係るコンロの第１特徴構成は、ガスを燃焼させて被加熱物を加熱するバーナと、前記被加熱物の有無を検知する被加熱物検知手段と、前記バーナによる燃焼時に前記被加熱物検知手段で前記被加熱物が無いことを検知した場合に前記バーナの火力を低下させる火力低下処理を実行する火力低下制御手段とを備えたコンロであって、
前記火力低下制御手段が、前記火力低下処理として、前記バーナによる燃焼時に前記被加熱物検知手段で前記被加熱物が無いことを所定の遅延時間継続して検知した場合に、前記バーナの火力を低下させるように構成されている点にある。
【００１３】
上記第１特徴構成によれば、バーナによる燃焼時に被加熱物検知手段により被加熱物が無いことを所定の遅延時間継続して検知しない限りは、上記火力低下制御手段により上記火力低下処理が実行されないので、一時的にフライパン等の被加熱物をバーナ上から持ち上げた場合には、バーナの火力が低下せずに、被加熱物の加熱を継続することができる。更に、被加熱物を持ち上げてから上記遅延時間が経過するまでに被加熱物を再度バーナ上に搭載したときには、火力を元に戻すという煩雑な作業を必要とせずに、元の火力で調理を継続することができる。更に、火力の大きさが頻繁に変化しないので効率低下を抑制することができる。
【００１４】
更に、被加熱物をバーナ上から取り除いてから上記遅延時間が経過した場合には、上記火力低下制御手段により上記火力低下処理が実行されるので、その被加熱物が搭載されていないバーナの火力低下された火炎による火傷や衣服への着火等を防止することができる。
【００１５】
従って、本発明により、使用者の使い勝手に優れ、頻繁な火力変更による効率低下を抑制しながら、火炎による火傷及び衣服への着火を防止することができるコンロを実現することができた。
【００１６】
本発明に係るコンロの第２特徴構成は、前記火力低下制御手段が、前記遅延時間を調整可能に構成されている点にある。
【００１７】
上記第２特徴構成によれば、上記遅延時間を調整可能に構成すれば、被加熱物を一時的に持ち上げる動作の頻度やその一時的に持ち上げる時間、使用者が鍋を取り除いてから再度バーナに接近するまでの平均的な時間などに合わせて、上記遅延時間を調整して、使用者の動作や被加熱物の調理方法に合わせて火力低下処理を実行することができ、一層使用者の使い勝手等を向上することができる。
【００１８】
本発明に係るコンロの第３特徴構成は、前記火力低下制御手段が、前記被加熱物の分類毎に前記遅延時間を変更するように構成されている点にある。
【００１９】
上記第３特徴構成によれば、上記火力低下制御手段が、上記被加熱物についての分類毎に、上記遅延時間を変更するように構成することで、被加熱物が煮物や汁物のように一時的にバーナ上から持ち上げるという動作を殆ど行わないような分類に属する場合には、遅延時間を比較的短くして、被加熱物がバーナ上から取り除かれた場合に早めにバーナの火力を低下させて安全性を重視することができる。一方、被加熱物が炒め物や焼き物のように一時的にバーナ上から持ち上げるという動作を頻繁に行う可能性があるような分類に属する場合には、遅延時間を比較的長くして、被加熱物がバーナ上から持ち上げられた場合に直ぐにはバーナの火力を低下させずに、再度バーナ上に被加熱物が搭載された場合でも元の火力での調理を継続することができるようにして、使用者の使い勝手を重視することができる。
【００２０】
本発明に係るコンロの第４特徴構成は、前記被加熱物の温度を検知する温度検知手段を備え、
前記火力低下制御手段が、前記バーナによる燃焼時に前記温度検知手段で検知した前記被加熱物の温度上昇状態から、前記被加熱物の分類を判定するように構成されている点にある。
【００２１】
上記第４特徴構成によれば、上記火力低下制御手段が、上記被加熱物についての分類毎に上記遅延時間を変更するように構成する場合においては、上記火力低下制御手段は、バーナによる燃焼時に上記温度検知手段により検知した被加熱物の温度上昇状態から、上記被加熱物が属する分類を判定することができる。即ち、被加熱物の温度上昇状態において、例えば１００℃程度でそれ以上温度上昇しない温度均衡点が存在する場合には、被加熱物が煮物や汁物のように一時的にバーナ上から持ち上げるという動作を殆ど行わないような分類に属すると判定し、逆に、そのような温度均衡点が存在しない場合には、被加熱物が炒め物や焼き物のように一時的にバーナ上から持ち上げるという動作を頻繁に行う可能性があるような分類に属すると判定することができる。
【００２２】
本発明に係るコンロの第５特徴構成は、前記火力低下制御手段が、前記火力低下処理として、前記バーナの火力を小火状態に絞ることで、前記バーナの火力を低下させるように構成されている点にある。
【００２３】
上記第５特徴構成によれば、上記火力低下制御手段が、バーナによる燃焼時に被加熱物検知手段で被加熱物が無いことを所定の遅延時間継続して検知した場合に、バーナを消火させることなく、バーナの火力を元の火力よりも小さい小火状態に絞ることで、次に被加熱物をバーナ上に搭載した際に、再度バーナの点火を行う必要なく調理を継続することができる。
【００２４】
本発明に係るコンロの第６特徴構成は、前記火力低下制御手段が、前記火力低下処理として、前記バーナの火力を一旦小火状態に絞り一定時間前記小火状態を維持した後に前記バーナを消火することで、前記バーナの火力を低下させるように構成されている点にある。
【００２５】
上記第６特徴構成によれば、上記火力低下制御手段が、バーナによる燃焼時に被加熱物検知手段で被加熱物が無いことを所定の遅延時間継続して検知した場合に、直ぐにバーナを消火させずに、一旦バーナの火力を小火状態に絞った後に、バーナを消火することで、小火状態のときに被加熱物をバーナ上に搭載した際には、再度バーナの点火を行う必要なく調理を継続することができ、使用者の使い勝手を向上しながら、バーナの点火及び消火が頻繁に繰り返されることによる効率低下を抑制することができる。更に、小火状態のときに被加熱物が搭載されなかった場合には、バーナを消火して、火炎による火傷や衣服への着火等を充分に防止することができる。
【００２６】
上記目的を達成するための本発明に係るコンロの第７特徴構成は、ガスを燃焼させて被加熱物を加熱するバーナと、前記被加熱物の有無を検知する被加熱物検知手段と、前記バーナによる燃焼時に前記被加熱物検知手段で前記被加熱物が無いことを検知した場合に前記バーナの火力を低下させる火力低下処理を実行する火力低下制御手段とを備えたコンロであって、
前記火力低下制御手段が、前記火力低下処理として、前記バーナの火力を一旦小火状態に絞り一定時間前記小火状態を維持した後に前記バーナを消火することで、前記バーナの火力を低下させるように構成されている点にある。
【００２７】
上記第７特徴構成によれば、上記火力低下制御手段が、バーナによる燃焼時に被加熱物検知手段で被加熱物が無いことを検知した場合に、直ぐにバーナを消火させずに、一旦バーナの火力を小火状態に絞った後に、バーナを消火することで、小火状態のときに被加熱物をバーナ上に搭載した際には、再度バーナの点火を行う必要なく調理を継続することができ、使用者の使い勝手を向上しながら、バーナの点火及び消火が頻繁に繰り返されることによる効率低下を抑制することができる。更に、小火状態のときに被加熱物が搭載されなかった場合には、バーナを消火して、火炎による火傷や衣服への着火等を充分に防止することができる。
【００２８】
本発明に係るコンロの第８特徴構成は、前記火力低下制御手段が、前記火力低下処理により前記バーナの火力を低下させているときに前記被加熱物検知手段で前記被加熱物が有ると検知した場合には、前記バーナの火力をその時点の火力に維持するように構成されている点にある。
【００２９】
上記第８特徴構成によれば、火力低下制御手段が、火力低下処理でバーナの火力を低下させているときに被加熱物検知手段で前記被加熱物が有ると検知した場合には、バーナの火力をその時点の火力に維持することで、火力低下処理中に被加熱物がバーナ上に搭載されたときに、バーナの火力が予期せず上昇することによる火傷や衣服への着火等を防止することができる。
【００３０】
本発明に係るコンロの第９特徴構成は、前記火力低下制御手段が、前記火力低下処理として、前記バーナを消火することで、前記バーナの火力を低下させるように構成されている点にある。
【００３１】
上記第９特徴構成によれば、火力低下制御手段が、火力低下処理として、バーナによる燃焼時に被加熱物検知手段で被加熱物が無いことを所定の遅延時間継続して検知した場合に、バーナの火力を低下させるように構成されている場合には、火力低下処理として、一旦バーナの火力を小火状態に絞ることなく、直ぐに、バーナを消火して、火炎による火傷や衣服への着火等を防止して、安全性を重視しても構わない。
【００３２】
本発明に係るコンロの第１０特徴構成は、前記火力低下制御手段が、前記バーナの点火時に前記被加熱物検知手段で前記被加熱物が無いと検知した場合には、後に前記被加熱物検知手段で前記被加熱物が有ると検知してから、前記火力低下処理を実行するように構成されている点にある。
【００３３】
上記第１０特徴構成によれば、上記火力低下制御手段が、バーナの点火時に被加熱物検知手段で被加熱物が無いと検知した場合には、後に被加熱物検知手段で被加熱物が有ると検知してから火力低下処理を実行するように構成することで、被加熱物がバーナ上に搭載されておらずバーナが点火された場合には、後に被加熱物がバーナ上に搭載されるまでは、バーナの火力を自動的に低下させずに、被加熱物が搭載されるまでバーナの火力を維持させることができる。また、一旦バーナ上に被加熱物が搭載された以降は、被加熱物検知手段で被加熱物が無いことを例えば所定の遅延時間継続して検知した場合にバーナの火力を低下させる火力低下処理を実行して、火炎による火傷及び衣服への着火を防止することができる。
【００３４】
本発明に係るコンロの第１１特徴構成は、前記火力低下制御手段が、前記火力低下処理として、前記バーナによる燃焼時に前記被加熱物検知手段で前記被加熱物が無いことを所定の遅延時間継続して検知した場合に、前記バーナの火力を低下させるように構成されており、前記バーナの点火時に前記被加熱物検知手段で前記被加熱物が無いと検知した場合には、前記バーナの点火時からの経過時間を前記遅延時間として前記火力低下処理を実行するように構成されている点にある。
【００３５】
上記第１１特徴構成によれば、上記火力低下制御手段が、バーナの点火時に被加熱物検知手段で被加熱物が無いと検知した場合には、バーナの点火時からの経過時間を遅延時間として、被加熱物検知手段で被加熱物が無いことを所定の遅延時間継続して検知した場合にバーナの火力を低下させる火力低下処理を実行することで、被加熱物がバーナ上に搭載されておらずバーナが点火された場合には、一定の経過時間が経過するまでは、バーナの火力を自動的に低下させずにバーナの火力を維持させることができる。また、それでも被加熱物が搭載されなかった場合には、バーナの火力を低下させて、火炎による火傷及び衣服への着火を防止することができる。
【発明を実施するための最良の形態】
【００３６】
本発明のコンロの実施の形態について、図面に基づいて説明する。
図１に示すコンロ１００は、平面状の上面を有する天板１と、天板１に設けられた加熱口２と、加熱口２の上方に離間させて鍋等の被加熱物Ｎを搭載可能な五徳４と、燃料ガスＧを燃焼させ加熱口２から上方に火炎を形成して被加熱物Ｎを加熱するバーナ３とが設けられている。
【００３７】
バーナ３は、ブンゼン燃焼式のバーナであり、燃料ガスＧを噴出させるガスノズル６と、ガスノズル６からの燃料ガスＧの噴出により、内部に燃料ガスＧと空気との混合気が供給される混合管５と、加熱口２の下方に設けられ混合気が内部に供給される環状ケーシング部材９と、環状ケーシング部材９の環状の内面に形成され、混合気を環状の内向きに噴出させて燃焼させる複数の炎口７とを有して構成されている。
尚、当然、混合気を外向きに噴出させて燃焼させるようにバーナ３を構成しても構わない。
【００３８】
更に、コンロ１００には、ガスノズル６に供給される燃料ガスＧの流量を調整可能な調整弁２２と、ガスノズル６への燃料ガスＧの供給を遮断可能な遮断弁２３と、この調整弁２２及び遮断弁２３等の作動を制御して、バーナ３の点火及び消火、バーナ３の燃料量の調整等を行う制御装置２０とが設けられている。
また、この制御手段２０は、後述する火力低下処理を実行する火力低下制御手段２１としも機能するように構成されている。
【００３９】
また、バーナ３の環状ケーシング部材９内の下方には、加熱口２を介して落下した煮零れ等を受けるための汁受け皿８が設けられており、この汁受け皿８には、上下方向に伸縮自在な伸縮機構部１０が設けられている。
この伸縮機構部１０は、一端側が汁受け皿８に固定されており、五徳４上の被加熱物Ｎが搭載されていないときには、他端側が五徳４の被加熱物Ｎが搭載される水平面よりも突出した伸状態となり、五徳４上に被加熱物Ｎが搭載されたときには、他端側が被加熱物Ｎの底により被加熱物Ｎが搭載される水平面と同じ位置まで押し下げられる縮状態となるように構成されている。
【００４０】
伸縮機構部１０には、被加熱物Ｎの底部と接触する端部に、被加熱物Ｎの温度を検知する温度検知手段としての接触式の温度センサ１２が設けられている。
【００４１】
更に、伸縮機構部１０には、被加熱物Ｎの有無を検知する被加熱物検知手段として、五徳４上に被加熱物Ｎが搭載されて伸縮機構部１０が縮状態となったときにオン状態となるマイクロスイッチ１１が設けられており、制御装置２０は、このマイクロスイッチ１１がオン状態のときに五徳４上に被加熱物Ｎが有ると認識でき、マイクロスイッチ１１がオフ状態のときに五徳４上に被加熱物Ｎが無いと認識できる。
【００４２】
そして、制御手段２０が機能する火力低下制御手段２１は、バーナ３による燃焼時に、マイクロスイッチ１１の検知信号により被加熱物Ｎが五徳４上に無いことを検知した場合に、調整弁２２の開度を低下させて、バーナ３の火力を低下させる火力低下処理を実行するように構成されている。
【００４３】
以下、火力低下制御手段２１の詳細な構成について、説明する。
上述の火力低下制御手段２１は、バーナ３による燃焼時にマイクロスイッチ１１がオフ状態で被加熱物Ｎが無いことを検知した場合に、調整弁２２によりバーナ３へ供給する燃料ガスＧの流量を低下させることでバーナ３の火力を低下させて、火傷や衣服への着火等を防止する火力低下処理を実行するように構成されている。
【００４４】
また、火力低下制御手段２１は、バーナ３の火力を低下させる際に、直ぐにバーナ３を消火させるように構成しても構わないが、図２に示すように、火力低下処理として、調整弁２２によりバーナ３へ供給する燃料ガスＧの流量を小さめに絞って、バーナ３の火力を一旦小火状態に絞り、例えば１分程度の一定時間Ｔ１その小火状態を維持した後にバーナ３を消火するように構成されている。このようにバーナ３の火力を低下させることで、再度小火状態のときに被加熱物Ｎが五徳４上に搭載された際には、再度バーナ３の点火を行う必要なく調理を継続することができ、更に、その小火状態のときに被加熱物Ｎが搭載されなかった場合には、バーナ３を消火して、火炎による火傷や衣服への着火等を充分に防止することができる。
【００４５】
尚、このように、火力低下処理としてバーナ３の火力を小火状態に絞る場合には、一層バーナ３の点消火を抑制するために、その後にバーナ３を消火することなく、その小火状態を維持するように構成しても構わない。
【００４６】
更に、図３に示すように、火力低下制御手段２１は、火力低下処理として、バーナ３による燃焼時に、マイクロスイッチ１１がオフ状態となってからの経過時間Ｔが、所定の遅延時間Ｔ’となるまで（ステップ＃２）、マイクロスイッチ１１がオフ状態で被加熱物Ｎが無いと継続して検知した場合に（ステップ＃１）、調整弁２２によりバーナ３へ供給する燃料ガスＧの流量を低下させることでバーナ３の火力を低下させて（ステップ＃３）、バーナ３の火力の大きさが頻繁に変化して効率が低下することを抑制しながら、火炎による火傷や衣服への着火等を防止するように構成されている。
【００４７】
また、上記ステップ＃３において、火力低下制御手段２１は、前述のように、バーナ３の火力を一旦小火状態に絞り一定時間Ｔ１その小火状態を維持した後にバーナ３を消火するという形態で、所定の遅延時間Ｔ’継続して被加熱物Ｎが無いと検知した場合にバーナ３の火力を低下させるように構成されているが、別に、バーナ３を直ぐに消火する、又は、バーナ３を消火することなく火力を小火状態とするという形態で、所定の遅延時間Ｔ’継続して被加熱物Ｎが無いと検知した場合にバーナ３の火力を低下させるように構成しても構わない。
【００４８】
また、上記遅延時間Ｔ’は、例えば５〜１０秒程度の一定値でも構わないが、上記遅延時間Ｔ’は調整可能に構成されており、使用者の動作や被加熱物Ｎの調理方法に合わせて火力低下処理を実行して、一層使用者の使い勝手等が向上されている。
【００４９】
更に、また、火力低下制御手段２１は、被加熱物Ｎの分類毎に遅延時間Ｔ’を変更するように構成されている。
詳しくは、図４に示すように、例えば使用者が煮物や汁物等の分類に属する被加熱物Ｎを調理していることを、後述する分類判定処理により判定した場合には（ステップ＃１１）、一時的に被加熱物Ｎを持ち上げるという動作を殆ど行わないものとして、上記遅延時間Ｔ’を１、２秒程度の比較的短めの値Ｔａ’に設定して（ステップ＃１２）、被加熱物Ｎが五徳４上から取り除かれた場合に早めにバーナ３の火力を低下させて安全性を重視するように構成されている。
一方、使用者が上記煮物や汁物以外の炒め物や焼き物等の分類に属する被加熱物Ｎを調理していることを、後述する分類判定処理により判定した場合には（ステップ＃１１）、一時的に被加熱物Ｎを持ち上げるという動作を頻繁に行う可能性があるとして、上記遅延時間Ｔ’を５〜１０秒程度の比較的長めの値Ｔｂ’に設定して（ステップ＃１３）、被加熱物Ｎが五徳４上から持ち上げられた場合に直ぐにはバーナ３の火力を低下させずに、再度バーナ３上に被加熱物Ｎが搭載された場合でも元の火力での調理を継続することができるようにして、使用者の使い勝手を重視するように構成されている。
【００５０】
上記分類判定処理について説明を加えると、火力低下制御手段２１は、バーナ３による燃焼時に温度センサ１２により一定時間の間被加熱物Ｎの温度を検知して、被加熱物Ｎの温度上昇状態が、例えば１００℃付近でそれ以上温度上昇しない温度限界点が存在する場合には、被加熱物Ｎが煮物や汁物等の分類に属すると判定し、一方、そのような温度限界点が存在しない場合には、被加熱物Ｎが炒め物や焼き物等の分類に属すると判定するように構成されており、使用者の入力操作を必要とせずに、被加熱物Ｎが属する分類を判定することができる。
【００５１】
また、火力低下制御手段２１は、図５に示すように、使用者がバーナ３を点火した点火時において、マイクロスイッチ１１がオフ状態で被加熱物Ｎが無いことを検知した場合には（ステップ＃２１）、後に被加熱物Ｎが五徳４上に搭載されるまではバーナ３の火力を自動的に低下させずに、被加熱物Ｎが搭載されるまでバーナ３の火力を維持させ、後にマイクロスイッチ１１がオン状態となり被加熱物Ｎが有ると検知してから、前述の分類判定処理（ステップ＃２２）及び火力低下処理（ステップ＃２３）を実行するように構成されている。
【００５２】
また、火力低下制御手段２１は、図６に示すように、使用者がバーナ３を点火した点火時において、マイクロスイッチ１１がオフ状態で被加熱物Ｎが無いことを検知した場合には（ステップ＃３１）、例えば１分等のバーナ３の点火時からの一定の経過時間Ｔｏ’を遅延時間Ｔ’として、被加熱物Ｎが無いことをその経過時間Ｔｏ’継続して検知した場合にバーナ３の火力を低下させる形態で、火力低下処理（ステップ＃３４）を実行するように構成しても構わない。また、この場合には、ステップ＃３１で被加熱物Ｎが有ると検知した場合には、通常の分類判定処理（ステップ＃３３）及び火力低下処理（ステップ＃３４）が実行される。
【００５３】
〔別実施形態〕
（１）上記実施の形態では、被加熱物検知手段として、バーナ３上に被加熱物Ｎが搭載されて伸縮機構部１０が縮状態となったときにオン状態となるマイクロスイッチ１１を設けたが、別の構成の被加熱物検知手段を設けても構わない。例えば、被加熱物検知手段を、バーナ３上に搭載された被加熱物Ｎによる赤外線等の光の遮蔽又は反射を検出する赤外線センサで構成したり、画像処理によりバーナ３上における被加熱物Ｎの存在を検出するように構成することができる。
【００５４】
（２）上記実施の形態では、被加熱物Ｎの温度を検知する温度検知手段として、伸縮機構部１０の先端に接触式の温度センサ１２を設けたが、別に、温度検知手段を、例えば被加熱物Ｎにより反射された赤外線を処理することにより被加熱物Ｎの温度を検知するというように、非接触式に構成しても構わない。
【００５５】
（３）上記実施の形態では、火力低下制御手段２１を、被加熱物Ｎが無いと検知し始めてからバーナ３の火力を低下させるまでの遅延時間Ｔ’を調整可能に構成したが、別に、その遅延時間Ｔ’を数秒又は数十秒等の一定値に設定しても構わない。
【００５６】
（４）上記実施の形態では、火力低下制御手段２１は被加熱物Ｎについての分類毎に遅延時間Ｔ’を変更するように構成したが、別に、その遅延時間Ｔ’を入力して設定するための入力部を設け、その入力部に入力された時間を遅延時間Ｔ’に変更するように構成しても構わない。
【００５７】
（５）上記実施の形態では、図４のステップ＃１１において、温度センサ１２で検知した被加熱物Ｎの温度上昇状態により、被加熱物Ｎが、煮物や汁物等の分類又は炒め物や焼き物等の分類の何れに属するかを自動的に判定するように構成したが、別に、使用者が何れの分類に属する被加熱物Ｎを加熱するかを入力するように構成し、その入力により被加熱物Ｎが属する分類を判定しても構わない。
【図面の簡単な説明】
【００５８】
【図１】コンロの概略構成図
【図２】火力低下状態を示すグラフ図
【図３】火力低下処理の処理流れを示すフロー図
【図４】分類判定処理の処理流れを示すフロー図
【図５】点火時の処理流れを示すフロー図
【図６】点火時の処理流れの別の形態を示すフロー図
【符号の説明】
【００５９】
３：バーナ
４：五徳
１０：伸縮機構部
１１：マイクロスイッチ（被加熱物検知手段）
１２：温度センサ（温度検知手段）
２０：制御装置
２１：火力低下制御手段
２２：調整弁
１００：コンロ
Ｎ：被加熱物
【図１】
2005188817.tif 000003
【図２】
2005188817.tif 000004
【図３】
2005188817.tif 000005
【図４】
2005188817.tif 000006
【図５】
2005188817.tif 000007
【図６】
2005188817.tif 000008